(57)【特許請求の範囲】
【請求項１】
ブレードを円周方向に複数個配列してなる周刃ディスク部と、この周刃ディスク部と同幅でかつ、それよりも小径のカラー部とを回転シャフトの軸線方向に交互に有する２つの回転カッタを含み、前記２つの回転カッタのうちの一方の回転カッタの周刃ディスク部が相手方の回転カッタの周刃ディスク部間に嵌入されるように前記２つの回転カッタが配設され、該２つの回転カッタの間で構成される切断処理部に投入材を引き込んで切断処理するようにされた切断処理装置において、前記切断処理部近傍に、外周に投入材を前記２つの回転カッタに押し付けるための爪が多数付設された回転ドラムを有し、この回転ドラムの回転によって投入材を該切断処理部に供給するように構成され、かつ、前記回転ドラムの爪が、回転方向前側が該回転ドラムに対して弧状に膨らむように起立し、かつ後側が該回転ドラムに対して直立するような扇状の爪となっていることを特徴とする切断処理装置。
【発明の詳細な説明】
【０００１】
【発明の属する技術分野】
本発明は、各種廃棄物を切断処理する切断処理装置に関し、特に回転カッタを備える切断処理装置に関する。
【０００２】
【従来の技術】
従来、この種の分野の技術としては、ブレードを円周方向に複数個配列してなる周刃ディスク部と、この周刃ディスク部と同幅でかつ、それよりも小径のカラー部とを回転シャフトの軸線方向に交互に有する２つの回転カッタを含み、前記２つの回転カッタのうちの一方の回転カッタの周刃ディスク部が相手方の回転カッタの周刃ディスク部間に嵌入されるように構成された切断処理装置が知られている。
【０００３】
この切断処理装置にあっては、２つの回転カッタの間が切断処理部となっており、ホッパに投入された投入材が回転カッタの周刃ディスク部により切断処理部に引き込まれ、この切断処理部において投入材が切断処理されるようになっている。つまり、一方の回転カッタの周刃ディスク部と相手方の回転カッタの周刃ディスク部との間のせん断力などにより投入材が切断処理されるようになっている。
【０００４】
また、ホッパと切断処理部とが離れている場合には、ベルトコンベアなどの投入材送り装置によって投入材が切断処理部に送られる場合もある。さらに、このような場合、ベルトコンベアに載せられた投入材が一度機に切断処理部へ送られないように、ベルトコンベアの末端に定量送り手段を設ける場合もある。この定量送り手段としては、例えば、回転ドラムの外周に円柱状の突起を多数付設したものが用いられている。
【０００５】
【発明が解決しようとする課題】
ところで、このような構成による従来の切断処理装置では下記のような問題点を有している。
すなわち、投入材がカール状の金属屑である場合、切断処理部の上で投入材が浮遊してしまい、うまく切断されない場合がある。また、それ以外の投入材の場合であっても、投入材が切断処理部にうまく引き込まれない場合がある。そのため、投入材の切断処理に長時間を要するという問題があった。
そのため、回転カッタへ投入材を適量ずつ送れ、しかも、回転カッタへ送られる投入材を確実に切断処理部へ導き切断処理することができる構造を有する切断処理装置の出現が望まれていた。
【０００６】
本発明は、かかる要望に鑑みなされたもので、回転カッタへ投入材を適量ずつ送り、かつ、回転カッタへ送られる投入材を確実に切断処理部へ導いて切断処理することができる切断処理装置を提供することを目的とする。
【０００７】
【課題を解決するための手段】
請求項１に記載の発明は、ブレードを円周方向に複数個配列してなる周刃ディスク部と、この周刃ディスク部と同幅でかつ、それよりも小径のカラー部とを回転シャフトの軸線方向に交互に有する２つの回転カッタを含み、前記２つの回転カッタのうちの一方の回転カッタの周刃ディスク部が相手方の回転カッタの周刃ディスク部間に嵌入されるように前記２つの回転カッタが配設され、該２つの回転カッタの間で構成される切断処理部に投入材を引き込んで切断処理するようにされた切断処理装置において、前記切断処理部近傍に、外周に投入材を前記２つの回転カッタに押し付けるための爪が多数付設された回転ドラムを有し、この回転ドラムの回転によって投入材を該切断処理部に供給するように構成され、かつ、前記回転ドラムの爪が、回転方向前側が該回転ドラムに対して弧状に膨らむように起立し、かつ後側が該回転ドラムに対して直立するような扇状の爪となっていることを特徴とする。
このように構成された切断処理装置によれば、回転ドラムの爪の回転方向前側が回転ドラムに対して弧状に起立しているので、投入材が無理なく、２つの回転カッタ上に供給され、また、２つの回転カッタへの投入材の押付けが効果的に行なわれることになる。一方、回転ドラムの爪の回転方向後側が該回転ドラムに対して直立しているので、投入材の種類にもよるが、該直立部がストッパとして機能して、回転カッタによる無理な投入材の引き込みが防止され、２つの回転カッタでの投入材の詰まりが防止される。
【０００９】
【発明の実施の形態】
図１には切断処理装置の正面図、図２には切断処理装置の回転ドラムを取り去った場合の平面図、図３には切断処理装置の回転カッタの構成図、図４および図５には切断処理装置の回転ドラムの構成図がそれぞれ示されている。
この切断処理装置１は図２に示すように２つの回転カッタ２，２を備えている。各回転カッタ２は、図３に示すように、ブレード２０ａを円周方向に複数個配列してなる周刃ディスク部２０と、この周刃ディスク部２０と同幅でかつ、それよりも小径のカラー部２１とを回転シャフト３の軸線方向に交互に有している。そして、２つの回転カッタ２，２は、一方の回転カッタ２の周刃ディスク部２０が相手方の回転カッタ２の周刃ディスク部２０，２０間に嵌入されるようにフレーム５に取り付けられている。
各周刃ディスク部２０のブレード２０ａは鋸刃状に構成され、図３に示すように、刃先面が半径方向外方へ向けて起立している。そして、２つの回転カッタ２，２は、この刃先面によって、回転カッタ２，２上に存在する投入材を、回転カッタ２，２の間で構成される切断処理部Ａへ引き込むことができるような向きで回転シャフト３に取り付けられている。
【００１０】
また、切断処理部Ａの直上には、図１に示すように、外周に爪４０（図４および図５）が多数付設された回転ドラム４が設けられている。この回転ドラム４の軸は２つの回転カッタ２，２の軸を結ぶ線分の２等分線を含む面内に存在している。この回転ドラム４の爪４０は、図５に示すように、回転方向前側が該回転ドラム４に対して弧状に起立し、かつ後側が該回転ドラム４に対して直立するような扇状の爪となっている。
【００１１】
そして、この切断処理装置１においては、回転カッタ２，２はカッタ駆動モータＭ１（図２）によって、回転ドラム４はドラム駆動モータＭ２（図４）によって、それぞれ回転駆動されるようになっている。この場合の動力伝達機構としては、特に限定はされないが、カッタ駆動モータＭ１から回転カッタ２，２への動力伝達に歯車機構が、ドラム駆動モータＭ２から回転ドラム４への動力伝達に、チェーンを用いた巻掛け伝動機構が採用されている。
【００１２】
また、この切断処理装置１においては投入材の投入は水平方向から行われるようになっている。つまり、水平方向から供給される投入材は回転ドラム４の回転に伴って回転ドラム４の下側を潜り、２つの回転カッタ２，２間に送られるようになっている。回転ドラム４までの投入材の送りは、スパイラル状の送り装置やベルトコンベアによってなされる。なお、投入材の投入は回転ドラム４の上方あるいは斜め上方からでも良い。要は、回転ドラム４によって適量ずつ投入材が２つの回転カッタ２，２上に供給され、かつ、回転ドラム４によって２つの回転カッタ２，２に投入材が押し付けられることである。
【００１３】
次に、このように構成された切断処理装置１の作用を説明する。
スパイラル状の送り装置等によって回転ドラム４の所まで送られてきた投入材は、回転ドラム４の回転に伴って、回転ドラム４の爪４０によって回転ドラム４の下側を通り、２つの回転カッタ２，２上に供給される。この場合、投入材は、この回転ドラム４の爪４０により２つの回転カッタ２，２に押し付けられる。
【００１４】
このように構成された切断処理装置１によれば、回転ドラム４によって適量ずつ投入材が２つの回転カッタ２，２上に供給され、かつ、回転ドラム４によって２つの回転カッタ２，２に投入材が押し付けられるので、投入材が効率良く切断できることになる。
また、回転ドラム４の爪４０は、回転方向前側が該回転ドラム４に対して弧状に起立しているので、投入材が無理なく、２つの回転カッタ２，２上に供給され、また、２つの回転カッタ２，２への投入材の押付けが効果的に行われることになる。一方、後側が該回転ドラム４に対して直立しているので、投入材の種類にもよるが、該直立部がストッパとして機能して、回転カッタ２による投入材の無理な引込みが防止され、２つの回転カッタ２，２での投入材の詰まりが防止される。
【００１５】
以上、本発明の実施形態を説明したが、本発明は、かかる実施形態に限定されるものではなく、その要旨を逸脱しない範囲で、種々の変形が可能であることはいうまでもない。
【００１６】
例えば、前記実施形態では、２つの回転ドラム２，２の回転シャフト３は同一水平面上に設置されているが、２つの回転ドラム２，２の回転シャフト３を水平面に対して傾けて設置した場合にも本発明は適用できる。その場合でも、回転ドラム４の軸を２つの回転カッタ２，２の軸を結ぶ線分の２等分線を含む面内に存在させるようにすれば、前記実施形態と同様の効果を得ることができることは勿論である。なお、前記実施形態でもそうであるが、回転ドラム４の軸は２つの回転カッタ２，２の軸を結ぶ線分の２等分線を含む面内に厳格に存在する必要はなく、２つの回転カッタ２，２に投入材を押し付けられる位置であれば、その近傍に存在していても良い。
【００１７】
【発明の効果】
本発明の効果を説明すれば、ブレードを円周方向に複数個配列してなる周刃ディスク部と、この周刃ディスク部と同幅でかつ、それよりも小径のカラー部とを回転シャフトの軸線方向に交互に有する２つの回転カッタを含み、前記２つの回転カッタのうちの一方の回転カッタの周刃ディスク部が相手方の回転カッタの周刃ディスク部間に嵌入されるように前記２つの回転カッタが配設され、該２つの回転カッタの間で構成される切断処理部に投入材を引き込んで切断処理するようにされた切断処理装置において、前記切断処理部近傍に、外周に投入材を前記２つの回転カッタに押し付けるための爪が多数付設された回転ドラムを有し、この回転ドラムの回転によって投入材を該切断処理部に供給するように構成され、かつ、前記回転ドラムの爪が、回転方向前側が該回転ドラムに対して弧状に膨らむように起立し、かつ後側が該回転ドラムに対して直立するような扇状の爪となっているので、投入材が無理なく、２つの回転カッタ上に供給され、また、２つの回転カッタへの投入材の押付けが効果的に行なわれることになり、さらに、回転カッタによる無理な投入材の引き込みが防止され、２つの回転カッタでの投入材の詰まりが防止される。
【図面の簡単な説明】
【図１】本発明を適用した切断処理装置の正面図である。
【図２】本発明を適用した切断処理装置の回転ドラムを取り除いた状態の平面図である。
【図３】本発明を適用した切断処理装置の回転カッタの構成図である。
【図４】本発明を適用した切断処理装置の回転ドラムの構成図である。
【図５】本発明を適用した切断処理装置の回転ドラムの構成図である。
【符号の説明】
１        切断処理装置
２        回転カッタ
３        回転シャフト
４        回転ドラム
２０        周刃ディスク部
２１        カラー部
４０        爪
【図１】
0003798862.tif 000002
【図２】
0003798862.tif 000003
【図３】
0003798862.tif 000004
【図４】
0003798862.tif 000005
【図５】
0003798862.tif 000006